(57)【要約】      （修正有）【課題】光学部品に対する半導体光源の相対位置の精確な調節を可能とする灯火モジュールを提供する。【解決手段】半導体光源１４と、光源１４に対して位置合わせされる光学部品１６と、光源１４および光学部品１６が固定される、ヒートシンク放熱器に属した基準面１２とを備えた灯火モジュール１０において、光源１４は、基準面２４上に固定されたマウント２６によって支持されている。灯火モジュール１０は、基準面２４に対するマウント２６の位置を調節するための手段と、マウント２６を当該調節された位置で基準面２４上に固定するための手段５０とを含んでいる。【選択図】図６
2018181847.tif 000002
【特許請求の範囲】
【請求項１】
−少なくとも１つの半導体光源（１４）と、
−前記光源（１４）に対して位置合わせされる光学部品（１６）と、
−前記少なくとも１つの光源（１４）および前記光学部品（１６）が固定される基準面（１２，２４）と、
を備えた、自動車両用の、特に照明および／または合図のための灯火モジュール（１０）において、
前記少なくとも１つの光源（１４）は、前記基準面（１２，２４）上に固定されたマウント（２６）によって支持されていることを特徴とする灯火モジュール（１０）。
【請求項２】
前記基準面（１２，２４）に対する前記マウント（２６）の位置を調節するための手段と、前記マウント（２６）を当該調節された位置で前記基準面（１２，２４）上に固定するための手段（４８，５０）とを含んでいることを特徴とする請求項１記載の灯火モジュール（１０）。
【請求項３】
前記マウント（２６）は、前記基準面（１２）上への当該ウント（２６）の固定用の要素（４８，５０）を通すための、少なくとも１つの固定用穴（７４）を含んでいることを特徴とする請求項１記載の灯火モジュール（１０）。
【請求項４】
前記固定用の要素（４８，５０）は、前記固定用穴（７４）を半径方向の遊びを伴って軸線方向に通って伸びるねじ棒（４８）を含んでいることを特徴とする請求項３記載の灯火モジュール（１０）。
【請求項５】
前記光源（１４）は、前記マウント（２６）における相補的な凹部（７２）内に受け入れられて位置合わせされるハウジング（５２）を含んでいることを特徴とする請求項１から４のうちいずれか一項に記載の灯火モジュール（１０）。
【請求項６】
前記マウント（２６）が２つの固定用穴（７４）を含んでいること、および、前記凹部（７２）が前記２つの固定用穴（７４）同士の間に形成されていることを特徴とする、請求項３または請求項４に従属する請求項５記載の灯火モジュール（１０）。
【請求項７】
前記マウント（２６）は、前記凹部（７２）の形成された中央本体（６６）と、この中央本体（６６）からそれぞれ延びた向かい合う２つの側方羽板（６５）とを含み、それらの側方羽板（６５）がそれぞれ固定用穴（７４）を含んでいることを特徴とする請求項６記載の灯火モジュール（１０）。
【請求項８】
前記ハウジング（５２）は、前記マウント（２６）における前記凹部（７２）内への軸線方向の挿入によって、特に半径方向に遊びを伴うことなく、締め付けられるように取り付けられていることを特徴とする請求項５記載の灯火モジュール（１０）。
【請求項９】
前記ハウジング（５２）は、前記ねじ棒（４８）の軸線に平行な軸線に沿った挿入によって、その凹部（３０）内に取り付けられていることを特徴とする請求項５および４との組合せにおいて採用される請求項８記載の灯火モジュール（１０）。
【請求項１０】
前記マウント（２６）は、前記基準面（１２，２４）に対して当該マウント（２６）を位置合わせすることを可能とする取扱い操作要素によって把持されるべき手段（７６）を含んでいることを特徴とする請求項１記載の灯火モジュール（１０）。
【請求項１１】
前記光源（１４）が、そのハウジング（５２）の中心軸線に対して半径方向に偏位された接続端子（５８）を含んでいること、および、前記マウント（２６）が、当該マウント（２６）の好ましい位置合わせの向きを定めるように前記基準面（１２，２４）の相補的な手段（３４）と相互作用するポカよけ手段（７０）を含んでいることを特徴とする請求項８記載の灯火モジュール（１０）。
【請求項１２】
前記光源（１４）がレーザー光源であること、および、当該灯火モジュール（１０）が、前記マウント（２６）と前記基準面（１２，２４）との間へ垂直方向に介在される拡散スクリーン（８０）を含んでいることを特徴とする請求項１記載の灯火モジュール（１０）。
【請求項１３】
前記半導体光源（１４）は、特にレーザー光源、少なくとも１つのレーザーダイオード、および少なくとも１つの発光ダイオードを含む群に属していることを特徴とする請求項１記載の灯火モジュール（１０）。
【請求項１４】
前記基準面（１２，２４）は、放熱器またはヒートシンクに属していることを特徴とする請求項１記載の灯火モジュール（１０）。
【請求項１５】
前記光源（１４）は、前記マウント（２６）に対して直接的に位置合わせされると共に、前記マウント（２６）と前記光学部品（１２）とに共通の前記基準面（１２，２４）に対して位置合わせされた前記光学部品（１６）に対して間接的に位置合わせされていることを特徴とする請求項１記載の灯火モジュール（１０）。
【発明の詳細な説明】
【技術分野】
【０００１】
本発明は、特に自動車両用の、照明および／または灯火合図の分野で用いられる灯火モジュールに関する。
【０００２】
本発明は、より特定的には、光学部品と関連付けられた少なくとも１つの半導体光源を含み、特に少なくとも１つの半導体光源からの放射を受けるために、光学部品が当該光源に対して精確に位置合わせされる灯火モジュールに関する。
【背景技術】
【０００３】
本発明は、より特定的には、上述した型式の灯火モジュールであって、光源と、光学部品（例えば、光反射器、光コリメータ、または光学レンズ等）とが、互いに対して間接的に位置合わせされるものに関し、その間接的な位置合わせは、例えば灯火モジュールに付属する放熱器に属した共通基準面上に、それぞれが精確に位置合わせされて固定されることによるものである。
【０００４】
そのような精確な位置合わせは、１つないし複数の半導体光源の場合、より特定的にはレーザー光源と呼ばれるものの場合には特に重要である。
【０００５】
光源は、３軸において小さな寸法公差、特に１ミリメートル未満、或いは自らの放射の放出光円錐が非常に小さな光源の場合には０．５ｍｍ未満の寸法公差でさえ位置合わせされねばならない。
【０００６】
レーザー光源の取扱い操作、位置合わせ、および固定は、当該光源の設計および形状、特にその接続端子の相対的な脆弱性の観点から、特に困難なものとなっている。  
【発明の概要】
【発明が解決しようとする課題】
【０００７】
本発明は、関連した光学部品に対する半導体光源の相対位置の精確な調節を可能とし、特に灯火モジュールを大量生産する状況において実施することのできる解決策を提案することを目的とする。
【課題を解決するための手段】
【０００８】
本発明は、
−  少なくとも１つの半導体光源と、
−  光源に対して位置合わせされる光学部品と、
−  少なくとも１つの光源および光学部品が固定される基準面と、
を備えた灯火モジュールにおいて、
少なくとも１つの光源は、基準面上に固定されたマウントによって支持されている、ことを特徴とする灯火モジュールを提案するものである。
【０００９】
当該灯火モジュールのその他の特徴によれば、
−  そのモジュールは、基準面に対するマウントの位置を調節するための手段と、マウントを当該調節された位置で基準面上に固定するための手段とを含んでおり、
−  マウントは、基準面上への当該ウントの固定用の要素を通すための、少なくとも１つの固定用穴を含んでおり、
−  固定用の要素は、固定用穴を半径方向の遊びを伴って軸線方向に通って伸びるねじ棒を含んでおり、
−  光源は、マウントにおける相補的な凹部内に受け入れられて位置合わせされるハウジングを含んでおり、
−  マウントが２つの固定用穴を含んでいて、凹部が２つの固定用穴同士の間に形成されており、
−  マウントは、凹部の形成された中央本体と、この本体からそれぞれ延びた向かい合う２つの側方羽板とを含み、それらの側方羽板がそれぞれ固定用穴を含んでおり、
−  ハウジングは、マウントにおける凹部内への軸線方向の挿入によって、特に半径方向に遊びを伴うことなく、締め付けられるように取り付けられており、
−  ハウジングは、ねじ棒の軸線に平行な軸線に沿った挿入によって、その凹部内に取り付けられており、
−  マウントは、基準面に対して当該マウントを位置合わせすることを可能とする取扱い操作要素によって把持されるべき手段を含んでおり、
−  光源が、そのハウジングの中心軸線に対して半径方向に偏位された接続端子を含んでいて、マウントが、当該マウントの好ましい位置合わせの向きを定めるように基準面の相補的な手段と相互作用するポカよけ（うっかりミスの防止）手段を含んでおり、
−  光源がレーザー光源であって、当該灯火モジュールが、マウントと基準面との間へ垂直方向に介在される拡散スクリーンを含んでおり、
−  半導体光源は、特にレーザー光源、少なくとも１つのレーザーダイオード、および少なくとも１つの発光ダイオードを含む群に属しており、
−  光学部品は、特に反射器、コリメータ、およびレンズを含む群に属しており、
−  基準面は、放熱器またはヒートシンクに属しており、
−  光源は、マウントに対して直接的に位置合わせされると共に、マウントと光学部品とに共通の基準面に対して位置合わせされた光学部品に対して間接的に位置合わせされている。
【００１０】
本発明のその他の特徴および利点は、以下の詳細な説明を読み取ることより明らかとなるであろう。その理解のためには、添付図面が参照される。
【図面の簡単な説明】
【００１１】
【図１】灯火モジュールの例示実施形態に属したヒートシンク放熱器であって、その上面が本発明における意味の範囲内での基準面を形成する放熱器の斜視図
【図２】灯火モジュールに属したレーザー光源を、図１の放熱器上に当該レーザー光源を位置合わせして固定するための本発明によるマウントとの関連において示す斜視図。
【図３】レーザー光源と、その位置合わせ用マウントとの部分組立体が、図１の放熱器上に位置合わせして固定される前の、この部分組立体を示す斜視図。
【図４】放熱器上の調節された位置にあって、固定ねじによって放熱器上へ固定される前の、マウントと、そのレーザー光源とを示す斜視図。
【図５】調節されて固定された位置にあるマウントを伴った放熱器を、この場合は光反射器によって形成された光学部品と共に示す斜視図。
【図６】光反射器が放熱器上に位置合わせされて固定されてしまった後の、本発明による灯火モジュールの実施形態を示す斜視図。
【図７】マウントを放熱器上に固定するための各ねじの軸線を通る垂直な横方向平面で切った、灯火モジュールの断面図。
【図８】図７の灯火モジュールの軸線方向端面図。
【図９】そのレーザー光源を備え付けたマウントによって形成される部分組立体を示す斜視図。
【図１０】そのレーザー光源を備え付けたマウントによって形成される部分組立体を示す、異なる角度に沿って見た斜視図。
【図１１】そのレーザー光源を備え付けたマウントの縦方向正面図。
【図１２】マウントの斜視底面図。
【図１３】図１１に示す部分組立体の底面図。
【図１４】マウントを設置して固定する前の、放熱器上の所定位置にある拡散スクリーンを示す斜視図。
【発明を実施するための形態】
【００１２】
これ以降の明細書において、同一の構造や同様の機能を有する要素同士は、同じ参照符号によって示されることとなる。
【００１３】
これ以降の明細書において、各図で「Ｌ，Ｖ，Ｔ」三面体によって表示される縦、垂直、および横の各向きは、非限定的なやり方で採用されることとなる。縦方向と横方向に広がる水平面もまた定義される。
【００１４】
図６は、特に放熱器１２、レーザー光源１４、および光反射器１６を含む、照明モジュール灯火モジュール１０に属した幾つかの要素や部品を示している。
【００１５】
レーザー型の半導体光源１４は、特に放出の主軸線Ａに沿って光放射を発することができる。
【００１６】
放熱器１２（図１に示す）は、そのヒートシンク機能と並んで、この場合には光源１４と光反射器１６との相対的な位置合わせおよび固定のための保持体の機能を果たす、複雑な形状の成型によって形成された部品である。
【００１７】
各図に示す実施形態において、放熱器１２は、図７に示す中央垂直縦方向平面ＰＶＭに関して対称な全体的設計を有している。
【００１８】
放熱器１２は、光源１４および収集器１６がそれに対して精確に位置合わせされる外被ないし外面によって境界を定められている。それは特に、一方の部品の他方の部品に対する精確な相対位置を定めるためである。
【００１９】
かくして、その後部において放熱器１２は、光収集器１６を位置合わせして固定するために、４つの位置合わせ固定用穴１８を含んでいる。それらの穴１８は各々、放熱器１２の外面の平坦部分２０と関連付けられている。それぞれの穴１８は、光収集器１６の相補的な要素２０を受け入れることができる。
【００２０】
その前部縦方向部分において放熱器１２は、本発明によるマウント２６によってレーザー光源１４を固定するための連結板を形成する部分２４を含んでいる。
【００２１】
連結板２４は、平坦な上面２８によって境界を定められている。その上面２８は、この場合は水平であって、長さが横方向軸線Ｔに沿って伸びる矩形の全体輪郭を有している。
【００２２】
連結板２４はその中央に、この場合には円形の断面と垂直方向の全体的な向きの軸線とを有した、段付円筒状凹部３０を含んでいる。
【００２３】
凹部３０は、環状基部３２によって垂直下方の境界を定められている。
【００２４】
段付凹部３０は、垂直方向通路３４の形態にて（この場合、縦方向に前方へ向かって）半径方向に開いている。その垂直方向通路３４は、向かい合う２つの垂直な縦方向の側面によって境界を定められている。
【００２５】
連結板２４は、段付凹部３０の両側に対称的に、カウンターボア（端ぐり）の形態の２つの空所３６を含んでいる。それぞれの空所３６は、水平基部３８によって境界を定められている。
【００２６】
各空所３６の略中央に、連結板２４は、円錐台状の全体形状の固定用パッド４０を含んでいる。その固定用パッド４０は、水平な環状の上方支持面４２によって境界を定められている。これらの２つの面４２は、連結板２４の水平な上面２８と同一平面上にある。
【００２７】
各固定用パッド４０は、この場合は固定用ねじ５０に属するねじ棒４８を（ねじ込みを通じて）受け入れることのできる中心孔４４を含んでいる。
【００２８】
光源１４はこの場合、特に図７、図９、図１０、図１１、および図１３に詳細に示すレーザー光源である。
【００２９】
レーザー光源１４は、この場合は円形断面の円筒状の全体形状を有した、ハウジング５２を含んでいる。そのハウジング５２は、上向きで環状の半径方向段部５６の境界を定める下方カラー５４を含んでいる。
【００３０】
ハウジング５２は、円板の全体形状にある平坦な下方水平面５６によって境界を定められている。
【００３１】
レーザー光源１４は、その電力供給用の２つの接続端子５８を含んでいる。それらの端子はそれぞれ、給電線６０によって延長されている。
【００３２】
各接続端子５８は、下方面５６から垂直下方へ伸びている。
【００３３】
図１３に精確に示すように、２つの接続端子５８は、ハウジング５２の全体的な中心軸線Ａに対して半径方向に偏心するよう偏位されている。その軸線は実質的に、光源１４の放出の主軸線に対応している。
【００３４】
それぞれの接続端子５８は、光源１４が放熱器１２に対して位置合わせされたとき、軸線Ａに対して横方向および縦方向前方へ偏位されている。
【００３５】
本発明によれば、レーザー光源１４のハウジング５２は、そのレーザー光源１４のハウジング５２が取り付けられて固定されたマウント２６によって、放熱器１２上に取り付けられ、位置合わせされて、固定される。マウント２６それ自体は、連結板２４の上面２８上に位置合わせされて固定される。
【００３６】
マウント２６はこの場合、水平な向きで、両端部の丸められた矩形状の全体輪郭をした薄板の全体形状になっている。
【００３７】
マウント２６は、平坦で水平な下面６２と平坦で水平な上面６４とによって垂直方向に境界を定められている。
【００３８】
その中央部においてマウント２６は、全体的に上面６４に対して余分な厚みで形成された中央本体６６を含んでいる。
【００３９】
マウント２６はかくして、２つの横向きの側方羽板６５によって延長された中央本体６６の形態をとっている。それぞれの側方羽板６５は、薄板の形態にある。
【００４０】
中央本体６６は、平坦な水平基部６８によって垂直下方の境界を定められている。その水平基部６８は、下面６２の平面に対して垂直上方に偏位されている。
【００４１】
マウント２６の前側縦方向縁部６３の近傍において、中央本体６６は、垂直下方へ伸びる割出し用突起７０を含んでいる。その割出し用突起７０は、放熱器１２の連結板２４に対するマウント２６の全体的な向きのポカよけ（うっかりミスの防止）をするための手段を形成するように、連結板２４の通路３４内に受け入れられることができる。
【００４２】
中央本体６６は、円筒形の中央凹部７２を含んでいる。その中央凹部７２は、円形の輪郭で、垂直軸線の向きが上面６４の平面と直交している。
【００４３】
中央凹部７２は、レーザー光源１４の本体５２が内部に受け入れられて取り付けられる凹部である。
【００４４】
レーザー光源１４は、そのハウジング５２によって、マウント２６に対する３軸に沿った所与の固定位置を占める。
【００４５】
この目的のために、本体５２は、中央凹部７２内へ圧入され、および／または接着剤接合によって固定されてよい。
【００４６】
マウント２６に対するハウジング５２の垂直方向位置は、半径方向段部５６によって規定される。その段部５６は、中央本体６６の基部６８に向かい合う部分と上向きに軸線方向に当接する。
【００４７】
ハウジング５２がマウント２６に組み付けられて接合されるとき、そのハウジング５２を取り付けるための方法は、マウント２６に対するハウジング５２の軸線回りにおける所与の角度方向を保証することにもある。それは、図１３に示すように、各接続端子５８が上述したように（特に、割出し用突起７０に面する縦方向の前方へ）偏心させられ向きを合わされるようなものである。
【００４８】
その両側の横方向端部それぞれの近傍において、マウント２６は、円筒形の固定用貫通穴７４を含んでいる。
【００４９】
各固定用穴７４は、関連した固定用ねじ５０のねじ棒４８によって、軸線方向に貫通されることができる。
【００５０】
各固定用穴７４の内径は、ねじ棒４８が半径方向の遊びを伴って関連した穴７４の中へ受け入れられるように、ねじ棒４８の外径よりも著しく大きくなっている。それは、以降で説明されることとなるように、水平面Ｌ，Ｔ内での連結板２４に対するマウント２６の位置調節を可能とするためである。
【００５１】
ハウジング５２の下方カラー５４もまた、連結板２４の凹部３０内で半径方向の遊びを有している。
【００５２】
最後に、各側方羽板６５は、固定用穴７４と中央本体６６との間に、円筒形の貫通穴７６を含んでいる。その穴７６は、例えば電動取扱い操作ヘッド（図示せず）によって、マウント２６が放熱器１２に対して取扱い操作されるのを可能とするための把持穴となっている。
【００５３】
任意選択的に、そして特にレーザー型の光源を用いる場合に、光学モジュール１０には拡散スクリーン８０（図１４に詳細に示す）が備え付けられる。
【００５４】
それを取り付けて固定するために、スクリーン８０は、向かい合う２つの横方向方タブ８２を含んでいる。それぞれのタブ８２は、放熱器１２の連結板２４の関連した凹部３６内に受け入れられる。各タブ８２は、関連したパッド４０によって貫通される。
【００５５】
放熱器１２上への光源１４および光反射器１６の精確な位置合わせおよび固定は、以下のようにして達成される。
【００５６】
光源１４とマウント２６とが組み立てられて固定されてしまった後に、当該部分組立体は、放熱器１２に対して、図３に示す位置におかれる。
【００５７】
この位置から始めて、マウント２６が、その割出し用突起７０と共に、連結板２４に対して所定の位置におかれる。それは、そのマウント２６の下面６２が、連結板２４の水平な上面２８に面した部分上に、水平にぴったりと当たった状態においてである。
【００５８】
この組込みの際には、通路３４が割出し用突起７０を受け入れる。
【００５９】
この接合時には、所望の固定用ねじ５０を、それらのねじ棒４８を固定用孔４６へと入れずに、マウント２６の垂直方向の締付けを伴うことなく、部分的に組み込むことが可能である。
【００６０】
変形例として、各固定用ねじ５０は、連結板２４に対するマウント２６の位置合わせを調節する段階の後で、組み込まれてねじ込まれてもよい。
【００６１】
そして（例えば、把持穴７６と相互作用する操縦式ロボットを用いた）マウント２６の取扱い操作によって、図４に概略を示すように、放熱器１２の連結板２４に対してマウント２６を水平面内で精確に位置合わせすることが可能となる。それは、レーザー光源１４における光ビームの放出の全体的な軸線を精確に位置合わせするようにである。
【００６２】
そのような精確な位置合わせは、任意の既知の手段、例えば画像化手段によって保証することができる。
【００６３】
連結板２４に対するマウント２６の精確な位置が達成されたならば、垂直方向の締め付けによってマウント２６が連結板２４上で動かなくされるのを保証するように、各固定用ねじ５０が完全にねじ込まれる。
【００６４】
この接合の際、図５に示すように、そのマウント２６によってレーザー光源１４は、放熱器１２に対して望まれる限りの精確さで位置合わせされる。
【００６５】
それから続く段階は、レーザー光源１４に対して光反射器１６を精確に位置合わせして固定するよう、放熱器１２上に光反射器１６を位置合わせして固定することにある。
【００６６】
かくして、説明してきたばかりの設計によれば、光源１４用の基準面の機能を果たすマウント２６に対して当該光源が直接的に位置合わせされるが、その光源は、光反射器１６に対しては間接的に位置合わせされる。光反射器１６それ自体は、マウント２６と光反射器１２とに共通の基準面である、放熱器１２によって形成された基準面に対して位置合わせされるのである。
【００６７】
本発明は、説明してきたばかりの実施形態に限定されるものではない。
【００６８】
本発明の範囲を逸脱することなく、多くの変形が可能であり、予想され得る。
【００６９】
マウント２６は例えば、任意の材料（プラスチックや金属、特にアルミニウム合金、ザマック等）の成型によって製造されてよい。その材料は、特に変形の制約や熱膨張に応じて選択される。
【００７０】
マウント２６は、それぞれがマウント２６に対して精確に位置合わせされる１つないし複数の光源を含んでいてもよい。
【００７１】
光源１４は円筒形以外の如何なる形状のハウジングを含んでいてもよいが、マウント２６は光源のハウジングの形状と相補的な凹部を含んでいる。
【００７２】
マウント２６はまた、光源のハウジングの全部ないし一部との単一部品として製造されてもよい。
【００７３】
マウント２６はまた、光源のハウジングの周囲にオーバーモールドすることによって、当該ハウジングに接合されてもよい。
【図１】
2018181847.tif 000003
【図２】
2018181847.tif 000004
【図３】
2018181847.tif 000005
【図４】
2018181847.tif 000006
【図５】
2018181847.tif 000007
【図６】
2018181847.tif 000008
【図７】
2018181847.tif 000009
【図８】
2018181847.tif 000010
【図９】
2018181847.tif 000011
【図１０】
2018181847.tif 000012
【図１１】
2018181847.tif 000013
【図１２】
2018181847.tif 000014
【図１３】
2018181847.tif 000015
【図１４】
2018181847.tif 000016
【外国語明細書】
2018181847000001.pdf